(57)【要約】【課題】振動板や電磁石の大きさを変えない（体格を維持したまま）で、音圧を高めることができる平型電気式ホーンを提供すること。【解決手段】ハウジング１の外周縁部に一方端部１２ａが固定され、内周壁１２ｃで振動板３と共鳴板６の外周部を囲む筒状部材１２を備える。【選択図】図２
2013025078.tif 000002
【特許請求の範囲】
【請求項１】
有底筒状のハウジングと、前記ハウジングの中央付近に収容固定された電磁石と、前記ハウジングの外周縁部に固定され前記ハウジングの開口部を覆う振動板と、前記振動板の内側の中央付近に固定され前記電磁石に対向配置される可動鉄心と、前記振動板の外側に固定された共鳴板と、を有する平型電気式ホーンであって、
前記ハウジングの前記外周縁部に一方端部が固定され、内周壁で前記振動版と前記共鳴板の外周部を囲む筒状部材を備えていることを特徴とする平型電気式ホーン。
【請求項２】
前記共鳴板の外面から前記筒状部材の他方端側の端面までの距離をｄとし、前記共鳴板の前記外面が前記筒状部材の他方端側の端面より引っ込む場合をプラス、前記筒状部材の他方端側の端面より出っ張る場合をマイナス、両者が一致する場合をゼロとするとき、ｄが
−５ｍｍ＜ｄ＜＋２０ｍｍ
を満たす請求項１に記載の平型電気式ホーン。
【発明の詳細な説明】
【技術分野】
【０００１】
本発明は、電磁石により可動鉄心を電磁石の固定鉄心に衝突させ振動板を振動させる平型電気式ホーン（警音器）に関する。
【背景技術】
【０００２】
電磁石により振動板に結合された可動鉄心を断続的に固定鉄心に衝突させ警音を発生する平型電気式ホーンが広く知られている（例えば、特許文献１参照。）。
【先行技術文献】
【特許文献】
【０００３】
【特許文献１】特開２００３−１８９３８６号公報
【発明の概要】
【発明が解決しようとする課題】
【０００４】
電気式ホーンを車両に取り付けて使用する場合、ホーンはフロントグリル開口部等に取り付けられるが、取り付け部位や車両の構造等により音圧が不足することがある。また、ＥＣ法規適用国向けの車両の場合、取り付け部位や車両の構造等によらず、音圧がＥＣ法規の定める下限値をぎりぎり満たす状況にある。
【０００５】
電気式ホーンの音圧は、振動板や電磁石の大きさに依存し、大きくすれば所望の音圧にすることができる。しかし、大きくすると、コストアップだけでなく、フロントグリル後方に配置されているラジエータの冷却効率を低下させてしまうという問題も発生する。
【０００６】
本発明は、上記従来の平型電気式ホーンの問題に鑑みてなされたものであり、振動板や電磁石の大きさを変えない（体格を維持したまま）で、音圧を高めることができる平型電気式ホーンを提供することを課題とする。
【課題を解決するための手段】
【０００７】
上記の課題を解決するためになされた本発明の平型電気式ホーンは、有底筒状のハウジングと、前記ハウジングの中央付近に収容固定された電磁石と、前記ハウジングの外周縁部に固定され前記ハウジングの開口部を覆う振動板と、前記振動板の内側の中央付近に固定され前記電磁石に対向配置される可動鉄心と、前記振動板の外側に固定された共鳴板と、を有する平型電気式ホーンであって、前記ハウジングの前記外周縁部に一方端部が固定され、内周壁で前記振動版と前記共鳴板の外周部を囲む筒状部材を備えていることを特徴とする。
【０００８】
筒状部材によって、音の拡散を防ぎ、振動板と共鳴板の板面に直交する方向に音を集中することができ、音圧を高めることができる。
【０００９】
上記の平型電気式ホーンにおいて、前記共鳴板の外面から前記筒状部材の他方端側の端面までの距離をｄとし、前記共鳴板の前記外面が前記筒状部材の他方端側の端面より引っ込む場合をプラス、前記筒状部材の他方端側の端面より出っ張る場合をマイナス、両者が一致する場合をゼロとするとき、ｄが
−５ｍｍ＜ｄ＜＋２０ｍｍ
を満たすようにするとよい。
【００１０】
これにより、体格を維持したまま、音圧を高めることができる。
【００１１】
なお、例えばｄ＝−４ｍｍということは、筒状部材の長さが短くて共鳴板の外面が筒状部材の他方端側の端面から４ｍｍ飛び出すことを意味する。
【発明の効果】
【００１２】
筒状部材によって、音の拡散を防ぎ、振動板と共鳴板の板面に直交する方向に音を集中することができ、音圧を高めることができる。
【図面の簡単な説明】
【００１３】
【図１】実施形態に係る本発明の平型電気式ホーンの正面視図である。
【図２】図１のＡ−Ａ線断面図である。
【発明を実施するための形態】
【００１４】
本発明の実施形態を図面を参照して説明する。
【００１５】
実施形態の電気式ホーンは、図１及び図２に示すように、有底筒状のハウジング１と、ハウジング１の中央付近に収容固定された電磁石２と、ハウジング１の外周縁部に固定されハウジング１の開口部を覆う振動板３と、振動板３の中央付近に固定され電磁石２の固定鉄心２aに対向配置された可動鉄心４と、ハウジング１の底部に固定され車両等に取付るための取付ステー５と、を有している。
【００１６】
電磁石２は、ハウジング１の中心部に固定されている。ハウジング１及び振動板３は、電磁石２の磁気回路の一部を構成するために、鉄系の磁性体材料の板材を凹形状にプレス成形されている。
【００１７】
電磁石２は、樹脂製のボビン２bに巻回されたコイル２cを備えており、このボビン２bの中心穴部に円柱状の形状に成形された可動鉄心４の下部の円柱部４aが配置されている。この可動鉄心４の上部の小径部４bには、振動板３の中心穴部３aと共鳴板６の中心部の円筒状部（バーリング加工部）６aが嵌合してかしめ固定されている。
【００１８】
ハウジング１の凹形状の中間平坦部１bには、ボビン２bの上側鍔部２b1から径外方へ突出している突出部２b2、金属バネ材からなる可動接点支持板７、固定接点支持板８、及び両接点支持板７、８の間に介在される絶縁部材（不図示）を積層して、これらの部材を金属製リベット９によりかしめ固定してある。
【００１９】
可動接点支持板７には可動接点７aが、固定接点支持板８には固定接点８aがそれぞれ固着されている。可動接点７aは、通常時（コイル２cの非通電時）は可動接点支持板７のバネ力により固定接点８aに圧着する常閉型の接点である。
【００２０】
可動鉄心４の軸方向中間部の外周面には径外方へ突き出すリング状のフランジ部４cが冷鍛加工等により一体成形されている。可動鉄心４のフランジ部４cは、可動接点支持板７のうちホーン中心部寄りの部位を下方（図２では後方）へ押圧する押圧部を構成する。
【００２１】
可動鉄心４の上部の小径部４bには、工具係止穴４eが形成してある。この工具係止穴４eとしては、断面六角状穴が好適である。
【００２２】
可動鉄心４の上部の小径部４bには、外周部がハウジング１の外周端部のフランジ部１cに巻き締めされた振動板３の中心部が圧入され、かしめ固定されている。
【００２３】
固定鉄心２aは、ハウジング１の底面部１dの中心部にかしめ等の手段で固定される。固定鉄心２aには、ネジ穴２a1が形成されており、取付ステー５がボルト１０で固定されている。
【００２４】
ハウジング１の外周端部のフランジ部１cには、樹脂製の筒状部材１２の一方端部１２ａが径外方向に弾性変形して嵌合されている。したがって、筒状部材１２の内周壁１２ｃで振動版３と共鳴板６の外周部を囲んでいる。
【００２５】
共鳴板６の外面６ａから筒状部材１２の他方端側の端面１２ｂまでの距離ｄは３ｍｍである。なお、共鳴板６の外面６ａが筒状部材１２の他方端側の端面１２ｂより引っ込む場合をプラス、端面１２ｂより出っ張る場合をマイナス、両者が一致する場合をゼロとするとき、ｄが次式を満たすと音波拡散抑制作用が有効に働き、体格の観点からも好ましい。
【００２６】
−５ｍｍ＜ｄ＜＋２０ｍｍ                            （１）
共鳴板６の外面６ａの端面１２ｂからの出っ張りが５ｍｍ未満であると、筒状部材１２の音波拡散抑制作用が有効に働く。
【００２７】
また、共鳴板６の外面６ａの端面１２ｂからの引っ込みが２０ｍｍ未満であると、筒状部材１２の音波拡散抑制作用が有効に働く。
【００２８】
実施形態の筒状部材１２は、図２に示すように、内径が一定のストレート筒であるが、ラッパ状に拡径する筒でもよい。逆に縮径する筒でもよい。
【００２９】
次に、本実施形態の平型電気式ホーンの作動を説明する。図示しないホーンスイッチが投入されることにより、車載電源からの電流がコネクタ部１１からコイル２c→可動接点支持板７→可動接点７a→固定接点８a→固定接点支持板８→リベット９→ハウジング１→固定鉄心２a→ステー５→車体（接地）の経路で流れる。
【００３０】
これにより、コイル２cの電磁力が可動鉄心４と固定鉄心２aとの吸引間隙に作用して、可動鉄心４が固定鉄心２aに吸引され衝突する。この可動鉄心４の変位により可動鉄心４のフランジ部４cが可動接点支持板７を押圧して、可動接点７aを固定接点８aから開離させる。その結果、コイル２cへの通電が遮断され、電磁力が無くなるので、可動鉄心４は振動板３の弾性力により元の位置に復帰し、これにより、可動接点７aと固定接点８aとの閉成状態が復活する。このようにして、コイル２cの通電が断続されることにより、可動鉄心４の固定鉄心２aへの衝突が繰り返され、振動板３及び共鳴板６が高周波で振動して音波が放射される。
【００３１】
振動板３と共鳴板６から放射される音波のうち、側方に向かう音波は筒状部材７の内周壁１２ｃで反射されて前方に向けられるので、前方方向の音圧が高められる。
【００３２】
（検証実験）
図１、２の平型電気式ホーンを使って効果の検証実験を行った。すなわち、図２に示す本発明のホーンと、図２で筒状部材７を取り除いた以外は同じ構成要素の電子式ホーン（従来のホーンに対応する）とを作動させて音圧を比較した。なお、検証実験に用いたホーンは、最大径が７２ｍｍで定格入力が４８Ｗである。
【００３３】
前方方向の音圧を測定した結果、本発明のホーンの音圧が従来のホーンより約２ｄＢ上がることが確認された。
【符号の説明】
【００３４】
１・・・・・・・・・ハウジング
２・・・・・・・・・電磁石
３・・・・・・・・・振動板
４・・・・・・・・・可動鉄心
６・・・・・・・・・共鳴板
６ａ・・・・・・・外面
１２・・・・・・・・筒状部材
１２ａ・・・・・・一方端部
１２ｂ・・・・・・端面
１２ｃ・・・・・・内周壁
ｄ・・・・・・・・・共鳴板の外面から筒状部材の端面までの距離
【図１】
2013025078.tif 000003
【図２】
2013025078.tif 000004